(57)【要約】【課題】部品点数が少なく、構造が簡単であり、しかも背凭れ支持杆に対する背凭れの位置合わせが簡単で、組み付け作業を短時間で行えるようにした椅子における背凭れの取付構造を提供する。【解決手段】左右１対の背凭れ支持杆１２、１２に、ほぼ上下方向を向くとともに、互いに内方に向かって突出する板状の左右１対の取付片１３、１３を固着し、背凭れ１５の下端両側部に設けた、下方と両側方とに開口するほぼ上下方向を向く係合溝１８、１８を、取付片１３、１３に上方より嵌合し、かつ背凭れ１５と各取付片１３とを固着ねじ１９、１９により固着する。【選択図】  図４
2010259692.tif 000002
【特許請求の範囲】
【請求項１】
左右１対の背凭れ支持杆に、ほぼ上下方向を向くとともに、互いに内方に向かって突出する板状の左右１対の取付片を固着し、背凭れの下端両側部に設けた、下方と両側方とに開口するほぼ上下方向を向く係合溝を、前記取付片に上方より嵌合し、かつ背凭れと各取付片とを固着手段により固着したことを特徴とする椅子における背凭れの取付構造。
【請求項２】
左右の取付片における上部の内方への突出量を、下部の内方への突出量より小とした請求項１記載の椅子における背凭れの取付構造。
【請求項３】
各取付片の一部を側面視コ字状に折曲することにより補強部を形成するとともに、この補強部に前後方向を向くねじ孔を設け、前記補強部を、背凭れにおける係合溝を形成する前後壁のいずれか一方に当接させ、かつこの補強部を当接させた前後壁のいずれか一方を貫通させた固着手段である固定ねじを、前記ねじ孔に螺合させて締め付けた請求項１または２記載の椅子における背凭れの取付構造。
【発明の詳細な説明】
【技術分野】
【０００１】
本発明は、椅子における背凭れの取付構造に関する。
【背景技術】
【０００２】
座の後部両側より起立する左右１対の背凭れ支持杆に背凭れを取付ける取付構造として、従来種々のものが提供されている(例えば、特許文献１〜３参照)。
【先行技術文献】
【特許文献】
【０００３】
【特許文献１】特開平９−２２０１３６号公報
【特許文献２】特開２００４−１５９７１２号公報
【特許文献３】特開２００５−６５７５４号公報
【発明の概要】
【発明が解決しようとする課題】
【０００４】
しかし、上記特許文献１〜３に記載されている各発明は、部品点数が多く、構造が複雑である上、各部材の位置合わせが煩雑で、組み付け作業に時間がかかる等の問題がある。
【０００５】
本発明は、従来の技術が有する上記のような問題点に鑑み、部品点数が少なく、構造が簡単であり、しかも背凭れ支持杆に対する背凭れの位置合わせが簡単で、組み付け作業を短時間で行えるようにした椅子における背凭れの取付構造を提供することを目的としている。
【課題を解決するための手段】
【０００６】
本発明によると、上記課題は、次のようにして解決される。
(１)  左右１対の背凭れ支持杆に、ほぼ上下方向を向くとともに、互いに内方に向かって突出する板状の左右１対の取付片を固着し、背凭れの下端両側部に設けた、下方と両側方とに開口するほぼ上下方向を向く係合溝を、前記取付片に上方より嵌合し、かつ背凭れと各取付片とを固着手段により固着する。
【０００７】
このような構成とすると、背凭れの両側部の係合溝を、左右の取付片に上方より嵌合し、その後背凭れと各取付片とを固着手段により固着するだけで、背凭れを左右の背凭れ支持杆に、簡単かつ迅速に取付けることができるとともに、背凭れ支持杆に対して、背凭れを簡単に位置合わせすることができる。
しかも、左右１対の背凭れ支持杆に取付片を固着し、かつ背凭れの下端両側部に係合溝を設けるだけでよいので、部品点数が少なく、構造が簡単であり、安価に製造することができる。
【０００８】
(２)  上記(１)項において、左右の取付片における上部の内方への突出量を、下部の内方への突出量より小とする。
【０００９】
このような構成とすると、背凭れの係合溝を、取付片に嵌合し易くなり、背凭れ支持杆に対する背凭れの位置合わせがより簡単となる。
【００１０】
(３)  上記(１)または(２)項において、各取付片の一部を側面視コ字状に折曲することにより補強部を形成するとともに、この補強部に前後方向を向くねじ孔を設け、前記補強部を、背凭れにおける係合溝を形成する前後壁のいずれか一方に当接させ、かつこの補強部を当接させた前後壁のいずれか一方を貫通させた固着手段である固定ねじを、前記ねじ孔に螺合させて締め付ける。
【００１１】
このような構成とすると、各取付片の前後方向および上下方向の曲げ強度が増大するとともに、コ字状とした補強部により形成される空間に、固定ねじの先端を突入させて、固定ねじの締付強度を高めることができる。
【発明の効果】
【００１２】
本発明によると、部品点数が少なく、構造が簡単であり、しかも背凭れ支持杆に対する背凭れの位置合わせが容易で、組み付け作業を短時間で行えるようにした椅子における背凭れの取付構造を提供することができる。
【図面の簡単な説明】
【００１３】
【図１】本発明の一実施形態を備える椅子の斜視図である。
【図２】同じく、側面図である。
【図３】同じく、分解斜視図である。
【図４】背凭れの取付部分を示す一部切欠正面図である。
【図５】図４のV−V線拡大縦断側面図である。
【図６】座板の平面図である。
【図７】カバーの平面図である。
【図８】座板とカバーとを結合した状態を、図６および図７におけるVIII−VIII線に添って縦断した状態で示す拡大縦断側面図である。
【図９】他のタイプの椅子のフレームを示す斜視図である。
【発明を実施するための形態】
【００１４】
次に、本発明の一実施形態を備える椅子を、図１〜図８を参照して説明する。
図１〜図３に示すように、この椅子は、下端にキャスタ１を設けた左右１対の前脚２、２と、同じく左右１対の後脚３、３と、前後の端部が前脚２および後脚３の上端より若干下方の箇所に溶接等により固着され、かつ中間部が椅子の中央部に向かって内向きく字状に屈曲させられた左右１対の水平杆４、４(図示の例では、中央部が若干下傾されて完全な水平とはなっていない。したがって、「水平杆」には、若干傾斜しているものも含まれる)と、左右１対の水平杆４、４の内向湾曲部の前部同士および後部同士を互いに連結する左右方向を向く連結杆５、５とからなるフレーム６を備えている。
前脚２、２、後脚３、３、および水平杆４、４は、管材により形成されている。
【００１５】
フレーム６における左右１対の水平杆４、４と、前後の連結杆５、５とにより、座７を支持する座受け部８が形成されている。
座７は、合成樹脂製の座板９と、その上面に取り付けられ、かつ表面を表皮材１０ａにより被包したクッション体１０とからなっている。
【００１６】
前脚２の上端と後脚３の上端とには、それぞれ、前後方向を向く肘掛け１１の前端部および後端部が取り付けられている。
【００１７】
左右の後脚３、３における水平杆４、４の取付部より上方の部分は、左右１対の背凭れ支持杆１２、１２をなし、各支持杆１２の上端部内面には、上下方向を向くとともに、内方に向かって突出する板状の左右１対の取付片１３が、溶接等により固着されている。
【００１８】
図３〜図５に示すように、各取付片１３の先端は、上部の内方への突出量よりも、下部の内方への突出量が大となるように、中間部に傾斜縁１３ａを有する内向段状に形成されている。
【００１９】
また、各取付片１３の上下部には、取付片１３自体を側面視前向コ字状に折曲することにより、前方に向かって突出する補強部１３ｂ、１３ｃが形成されており、各補強部１３ｂ、１３ｃの内端部には、前後方向を向くねじ孔１４が設けられている。
【００２０】
背凭れ１５は、硬質合成樹脂製の背板１６に、下端が開口する袋状の背凭れカバー１７を被嵌したものよりなっている。
背板１６の下端両側部には、外側方に向かってわずかに突出する取付部１６ａ、１６ａが設けられており、各取付部１６ａには、下方と両側方とに開口し、正面形状が取付片１３の正面形状とほぼ補形をなすとともに、前後幅を取付片１３の補強部１３ｂ、１３ｃの厚さとほぼ同一とした上下方向を向く係合溝１８が設けられている。
【００２１】
背板１６は、その左右の係合溝１８、１８を、背凭れ支持杆１２、１２に固着した左右の取付片１３、１３に上方より嵌合し、そのとき、各取付片１３の上下の補強部１３ｂ、１３ｃを、背板１６における各係合溝１８を形成する前壁１６ｂおよび後壁１６ｃのうちの前壁１６ｂに当接させ、かつその前壁１６ｂを貫通させた固着手段である固定ねじ１９を、ねじ孔１４に螺合させて締め付けることにより、左右の背凭れ支持杆１２、１２に強固に固着されている。
【００２２】
背凭れカバー１７の両側下端部には、背板１６における取付部１６ａ、１６ａを挿通させるための切欠き２０、２０が設けられており、この切欠き２０、２０を通って、取付部１６ａ、１６ａが挿通するようにして、背凭れカバー１７を、背板１６に上方から被嵌し、かつ背板１６の下方において、背凭れカバー１７の下端開口部に設けたファスナー２１を閉じることにより、背板１６は、取付部１６ａ、１６ａ以外の部分を、背凭れカバー１７により被包されている。
【００２３】
図３および図６に示すように、座板９の中央部には、４個のねじ孔２２が、前後左右に２個ずつ並べて設けられており、座板９を、座受け部８の上面に載置して、前後の連結杆５、５の両側部を貫通させた固定ねじ２３を、上記各ねじ孔２２に螺合して締め付けることにより、座板９、およびそれに取り付けられたクッション体１０は、座受け部８に強固に固着されている。
【００２４】
座板９の両側部には、上記ねじ孔２２より小径の前後１対のねじ孔２４、２４が設けられており、座板９の前部には、前後方向に長い長方形の左右１対の凹入部２５、２５が設けられており、各凹入部２５の底壁２５ａには、拡幅部２６ａの後方に、狭幅部２６ｂが、それよりさらに狭幅の狭窄部２６ｃを介して連設されただるま孔状の係合孔２６が設けられている。
【００２５】
座板９の後部には、左右方向に長い左右１対の係合孔２７、２７が設けられており、各係合孔２７の前縁には、被係合部をなす凹入段部２７ａが設けられている。
【００２６】
図２、図３、図７、および図８に示すように、座受け部８の下面には、座７、座受け部８、および水平杆４の外端部を除く部分の下面を覆うカバー２８が取り付けられている。
【００２７】
カバー２８は、弾性変形可能な合成樹脂材料等により、平面視ほぼ方形の皿状に形成され、方形の底片２８ａと、その外周から斜め外上方に向かって延出する起立縁２８ｂとを備えている。
【００２８】
カバー２８の起立縁２８ｂにおける各コーナー部には、水平杆４を挿通しうる挿通孔２９と、この挿通孔２９から起立縁２８ｂの角部の上端に至るスリット３０と、挿通孔２９からカバー２８の中央部に向かって、底片２８ａと起立縁２８ｂとの境界部分まで延出するスリット３１とが設けられている。
【００２９】
したがって、カバー２８における起立縁２８ｂの各コーナー部は、スリット３０、３１と挿通孔２９とを設けたことにより、弾性撓曲し易くなり、カバー２８を、座受け部８の下方より上方に押し上げ、座受け部８から外側方に向かって延出する各水平杆４を、スリット３０を押し広げつつ通過させて、挿通孔２９に嵌合させることにより、カバー２８を、その中心が座受け部８の中心と一致する正規位置に簡単に装着することができ、また、その装着状態から、カバー２８の各コーナー部を弾性変形させることにより、カバー２８を、正規位置から任意の水平方向に若干移動させることもできるようになっている。
【００３０】
カバー２８における前部の左右両側部には、ボス部３２ａの上端に、頸部３２ｂを介して、拡大頭部３２ｃが連設された左右１対の係合凸部３２、３２が、座板９における左右のだるま孔２６、２６に対応するようして上向き突設されている。
【００３１】
頸部３２ｂの左右幅は、係合孔２６における狭窄部２６ｃの左右間隔とほぼ同一で、その狭窄部２６ｃを、所要の抵抗力をもって前後方向に通過しうるものとしてある。
拡大頭部３２ｃは、係合孔２６における拡幅部２６ａを上下方向に通過しうる平面形状とし、頸部３２ｂの上端より両側方と後方に突出している。
【００３２】
左右の係合凸部３２、３２は、カバー２８を正規位置から若干前方にずらした組付け位置において、各拡大頭部３２ｃを係合孔２６における拡幅部２６ａに下方より嵌合でき、次いで、カバー２８を正規位置まで後方にスライドさせることにより、頸部３２ｂが係合孔２６における狭窄部２６ｃを通過して、狭幅部２６ｂに嵌合しうるようになっている。この状態では、拡大頭部３２ｃの外周部が狭幅部２６ｂの周縁における凹入部２５の底壁２５ａの上面に当接して、カバー２８の下方への移動が阻止される。
カバー２８の各コーナー部を弾性変形し易くし、カバー２８を、正規位置から水平方向に若干移動しうるようにしたのは、このためである。
【００３３】
カバー２８における後部の左右両側部には、上端に前下がり傾斜する傾斜面３３ａを有する前方を向く爪３３ｂが設けられた左右１対の倒立Ｌ字状の係合爪３３、３３が、座板９における左右の係合孔２７、２７に対応するようして、上向きに突設されている。
【００３４】
左右の係合爪３３、３３は、カバー２８が正規位置に位置している状態で、上方に押し上げることにより、各傾斜面３３ａが係合孔２７における凹入段部２７ａの後縁に摺接して、後方に弾性撓曲させられた後、凹入段部２７ａの通過後、爪３３ｂが凹入段部２７ａの後縁部上面に係合し、カバー２８の前方への移動を阻止するようになっている。
【００３５】
したがって、左右の係合凸部３２、３２を、係合孔２６、２６の狭幅部２６ｂ、２６ｂに係合させた状態で、左右の係合爪３３、３３を、凹入段部２７ａ、２７ａの後縁部に係合させることにより、カバー２８の正規位置から前後方向および下方への移動が確実に阻止される。
【００３６】
また、カバー２８の左右方向への移動は、左右の係合凸部３２、３２における各頸部３２ｂが、係合孔２６の狭幅部２６ｂの両側縁により拘束されるとともに、左右の係合爪３３、３３が、各係合孔２７の両側縁により拘束されることにより阻止される。
さらに、カバー２８の上方への移動は、左右の係合凸部３２、３２における各ボス部３２ａの上端が、凹入部２５の底壁２５ａの下面に当接することだけでなく、カバー２８のいずれかの部分が、座７、座受け部８、または水平杆４の下面に当接することにより阻止される。
【００３７】
カバー２８の両側部には、前後１対のボス３４、３４が上向き突設されており、各ボス３４の中央には、カバー２８が正規位置に位置したとき、座板９の下面における両側部のねじ孔２４に整合するようにしたねじ挿通孔３５が設けられている。
【００３８】
カバー２８は、正規位置に位置した状態で、ボス３４、３４の上端を、座板９の下面における両側部のねじ孔２４、２４が設けられた部分に当接し、かつ各ボス３４の中央のねじ挿通孔３５に下方より挿通した固定ねじ３６を、各ねじ孔２４に螺合して締め付けることにより、座７の下面に強固に固着されている。
なお、この固定ねじ３６による座７へのカバー２８の固着は省略して実施することもある。
【００３９】
カバー２８の両側部における前後のボス３４、３４間には、前後方向に長い凹入部とした手掛け部３７が設けられ、椅子を持ち上げるとき、この左右の手掛け部３７、３７に手を掛けて、椅子を持ち上げ易くしてある。
【００４０】
なお、座板９の下面、およびカバー２８の上面には、補強等のための多数のリブが設けられているが、それらは本発明に直接関係しないため、図示および詳細な説明は省略する。
【００４１】
以上から明らかなように、この実施形態においては、背凭れ１５の両側部の係合溝１８、１８を、左右の取付片１３、１３に上方より嵌合し、その後背凭れ１５と各取付片１３とを、固定ねじ１９をもって固着するだけで、背凭れ１５を左右の背凭れ支持杆１２、１２に、簡単かつ迅速に取付けることができるとともに、背凭れ支持杆１２、１２に対して、背凭れ１５を簡単に位置合わせすることができる。
しかも、左右１対の背凭れ支持杆１２、１２に取付片１３、１３を固着し、かつ背凭れ１５の下端両側部に係合溝１８、１８を設けるだけでよいので、部品点数が少なく、構造が簡単であり、安価に製造することができる。
【００４２】
また、左右の取付片１３、１３における上部の内方への突出量を、下部の内方への突出量より小としてあるので、背凭れ１５の係合溝１８、１８を、取付片１３、１３に嵌合し易くなり、背凭れ支持杆１２、１２に対する背凭れ１５の位置合わせがより簡単となる。
【００４３】
さらに、各取付片１３の一部を側面視コ字状に折曲することにより補強部１３ｂ、１３ｃを形成し、この補強部１３ｂ、１３ｃに前後方向を向くねじ孔１４を設け、補強部１３ｂ、１３ｃを、背凭れ１５における係合溝１８を形成する前壁１６ｂに当接させ、かつ補強部１３ｂ、１３ｃを当接させた前壁１６ｂを貫通させた固着手段である固定ねじ１９を、ねじ孔１４に螺合させて締め付けてあるので、各取付片１３の前後方向および上下方向の曲げ強度が増大するとともに、コ字状とした補強部１３ｂ、１３ｃにより形成される空間に、固定ねじ１９の先端が突入することができ、固定ねじ１９の締付強度を高めることができる。
【００４４】
本発明は、上記実施形態のみに限定されるものではなく、例えば、図９に示すように、座受け部８から前方に向かって延出する左右１対の水平杆４、４の前端部のみに、前脚２、２である脚杆を連設し、その下端を、平面視前向コ字状としたベース脚３８の前端両側部に連設して、前脚２、２のみで座受け部８を支持し、左右の水平杆４、４の後端には、後脚を連設せず、上方に起立する背凭れ支持杆１２、１２のみを連設したフレーム３９を有するタイプの椅子にも適用することができる。
【００４５】
また、本発明は、特許請求の範囲を逸脱することなく、例えば、次のような変形した態様での実施が可能である。
【００４６】
(Ａ)  各取付片１３の縦断側面形状を、上記のものと前後逆向きとし、各補強部１３ｂ、１３ｃを、背凭れ１５における係合溝１８を形成する後壁１６ｃに当接させ、かつその補強部１３ｂ、１３ｃを当接させた後壁１６ｃを貫通させた固定ねじ１９を、ねじ孔１４に螺合させて締め付ける。
(Ｂ)  各取付片１３に設ける補強部を１個のみとする。
(Ｃ)  各取付片１３に設ける補強部を３個以上とする。
【符号の説明】
【００４７】
１  キャスタ
２  前脚
３  後脚
４  水平杆
５  連結杆
６  フレーム
７  座
８  座受け部
９  座板
１０  クッション体
１０ａ表皮材
１１  肘掛け
１２  背凭れ支持杆
１３  取付片
１３ａ傾斜縁
１３ｂ、１３ｃ  補強部
１４  ねじ孔
１５  背凭れ
１６  背板
１６ａ取付部
１６ｂ前壁
１６ｃ後壁
１７  背凭れカバー
１８  係合溝
１９  固定ねじ(固着手段)
２０  切欠き
２１  ファスナー
２２  ねじ孔
２３  固定ねじ
２４  ねじ孔
２５  凹入部
２５ａ底壁
２６  係合孔
２６ａ拡幅部
２６ｂ狭幅部
２６ｃ狭窄部
２７  係合孔
２７ａ凹入段部(被係合部)
２８  カバー
２８ａ底片
２８ｂ起立縁
２９  挿通孔
３０、３１  スリット
３２  係合凸部
３２ａボス部
３２ｂ頸部
３２ｃ拡大頭部
３３  係合爪
３３ａ傾斜面
３３ｂ爪
３４  ボス
３５  ねじ挿通孔
３６  固定ねじ
３７  手掛け部
３８  ベース脚
３９  フレーム
【図１】
2010259692.tif 000003
【図２】
2010259692.tif 000004
【図３】
2010259692.tif 000005
【図４】
2010259692.tif 000006
【図５】
2010259692.tif 000007
【図６】
2010259692.tif 000008
【図７】
2010259692.tif 000009
【図８】
2010259692.tif 000010
【図９】
2010259692.tif 000011